(57)【特許請求の範囲】
【請求項１】
構造体（１）に設けられた貫通孔（２）に挿通された長尺体（Ｐ）の挿通部分の周囲空間（Ｖ）で、充填材（Ｊ）を支持自在な貫通孔の充填材支持具であって、
前記貫通孔（２）への前記充填材（Ｊ）の充填方向前方側で、前記貫通孔（２）内に充填される前記充填材（Ｊ）を受止め自在な環状の支持部（５）と、前記貫通孔（２）の開口部の周囲に係止自在な環状の係止部（６）とを、各別に径方向に分割して形成し、前記貫通孔（２）の深さ方向に対応する分割支持部（５ａ）と分割係止部（６ａ），（６ｂ）どうしを各別に連結する連結部（７）をそれぞれ設け、前記分割係止部（６ａ），（６ｂ）夫々の周方向一端側どうしを径方向に揺動自在に連結するヒンジ部（８）を設けるとともに、前記分割係止部（６ａ），（６ｂ）夫々の周方向他端側に互いに係合自在な係合部（９）を設けてある貫通孔の充填材支持具。
【請求項２】
一方の前記分割係止部（６ａ）の周方向他端に曲折するフック（９ａ）を設けて一方の前記係合部（９）とするとともに、前記他方の分割係止部（６ｂ）の周方向他端側の周部に前記フック（９ａ）と係合可能な切欠き（９ｂ）を設けて他方の前記係合部（９）としてある請求項１記載の貫通孔の充填材支持具。
【請求項３】
前記両分割係止部（６ａ），（６ｂ）夫々の周方向他端部に切欠きを設け、前記両分割係止部（６ａ），（６ｂ）夫々の係合部（９）に径方向に相異なる方向に段差を設けて、嵌め合い可能に形成してある請求項１又は２に記載の貫通孔の充填材支持具。
【請求項４】
前記ヒンジ部（８）が、鳩目である請求項１〜３の何れかに記載の貫通孔の充填材支持具。
【請求項５】
前記支持部（５）を、着脱自在に形成してある請求項１又は４に記載の貫通孔の充填材支持具。
【請求項６】
前記係止部（６）に、前記貫通孔（２）に対する蓋部材（１１）を係止自在な被係止部（１０）を設けてある請求項１〜５の何れかに記載の貫通孔の充填材支持具。
【請求項７】
前記被係止部（１０）に係止自在で、且つ、前記被係止部（１０）に係止させた状態で前記周囲空間（Ｖ）を覆う環状の蓋部材（１１）を設けてある請求項１〜６の何れかに記載の貫通孔の充填材支持具。
【請求項８】
前記蓋部材（１１）が、径方向に分割して形成してあると共に、分割蓋部材（１１ａ）どうしを合体させた状態で連結固定自在な蓋連結部（１２）を設けてある請求項７に記載の貫通孔の充填材支持具。
【請求項９】
前記蓋部材（１１）を構成するに、蓋本体の外周縁部に、径方向に沿って内方側に突出させて係止凸部（１３）を設け、前記被係止部（１０）を構成するに、前記係止凸部（１３）を、前記蓋部材（１１）の離脱方向側で受け止める係止面部（１０ａ）を設けてある請求項７又は８に記載の貫通孔の充填材支持具。
【発明の詳細な説明】
【０００１】
【産業上の利用分野】
本発明は、例えば、構造体（例えば、床や天井や壁）を貫通する挿通体（例えば、配管やケーブル）の周囲を、防火のために耐火封止する充填材を保持する支持具に関し、詳しくは構造体に設けられた貫通孔に挿通された長尺体の挿通部分の周囲空間で、充填材を支持自在な貫通孔の充填材支持具に関する。
【０００２】
【従来の技術】
従来、この種の貫通孔の充填材支持具としては、図８に示すように、貫通孔２への充填材Ｊの充填方向前方側で、前記貫通孔２内に充填される前記充填材Ｊを受止め自在な一体構成の環状支持部２０を設け、前記貫通孔２の開口部の周囲に各別に係止自在な複数の係止片部２１を設け、前記支持部２０に対して前記係止片部２１を各別に連結する複数の連結部２２を設けたものがあり、前記係止片部２１によって構造体１に該充填材支持具を係止させて、支持部２０の中心部分に形成された挿通孔に長尺体Ｐを挿通させて、長尺体Ｐと貫通孔壁２ａとの間に充填材Ｊを詰め込んで前記支持部２０で支持するものであった。
【０００３】
【発明が解決しようとする課題】
前述した従来の貫通孔の充填材支持具によれば、前記支持部が環状に一体構成してあるから、長尺体を貫通孔に既に挿通配置させてある状態で該充填材支持具を貫通孔に設置する場合には、該充填材支持具の支持部の挿通孔にわざわざ長尺体の端部を挿通させて、該充填材支持具を長尺体の長手方向に沿って設置箇所までずらす必要があり、設置手間がかかるという問題がある。
【０００４】
この問題点を解決するために、環状の前記支持部を、径方向に単純に分割形成することが提案される。しかし、支持部を単純に分割構成すると、部品点数が増加し、保管性や取扱性が低下するという新たな問題を招く。
【０００５】
更には、従来の貫通孔の充填材支持具、及び、上述の改善提案によるものとの両者は、複数の係止片部がそれぞれ単独の状態で貫通孔の開口部の周囲に係止するように形成してあるから、貫通孔に係止させた状態においては、各係止片部が単独に係止力を負担することになり、且つ、各係止片部の変形も各別に生じることになる。従って、例えば、該充填材支持具を貫通孔に設置すると共に熱膨張性充填材を充填して長尺体を固定した状態において、火災が発生して熱が加わって前記充填材が膨張し、前記支持部に押し込み方向の外力が作用すると、その外力は前記複数の係止片部に直接的に作用し、各係止片部に変形が生じ易くなり、長尺体の安定保持が困難となると同時に、充填材による防火が不完全になり得るという問題点がある。
【０００６】
そこで、本発明の目的は、上記問題点を解消し、貫通孔に長尺体を設置した後からでも手間をかけずに簡単に設置することができ、且つ、少ない部品点数で長尺体の安定的な保持ができる貫通孔の充填材支持具を提供するところにある。
【０００７】
【課題を解決するための手段】
この目的を達成するための本発明の「貫通孔の充填材支持具」の特徴構成は以下のとおりである。即ち、
本発明の第１の特徴構成は、貫通孔への充填材の充填方向前方側で、前記貫通孔内に充填される前記充填材を受止め自在な環状の支持部と、前記貫通孔の開口部の周囲に係止自在な環状の係止部とを、各別に径方向に分割して形成し、前記貫通孔の深さ方向に対応する分割支持部と分割係止部どうしを各別に連結する連結部をそれぞれ設け、前記分割係止部夫々の周方向一端側どうしを径方向に揺動自在に連結するヒンジ部を設けるとともに、前記分割係止部夫々の周方向他端側に互いに係合自在な係合部を設けてあるところにあり、
第２の特徴構成は、上記第１の特徴構成において、一方の前記分割係止部の周方向他端に曲折するフックを設けて一方の前記係合部とするとともに、前記他方の分割係止部の周方向他端側の周部に前記フックと係合可能な切欠きを設けて他方の前記係合部としてあるところにあり、
第３の特徴構成は、上記何れかの特徴構成において、両分割係止部夫々の周方向他端部に切欠きを設け、前記両分割係止部夫々の係合部に径方向に相異なる方向に段差を設けて、嵌め合い可能に形成してあるところにある。
【０００８】
尚、前記ヒンジ部が、鳩目であったり（請求項４に対応）、前記支持部を、着脱自在に形成してあったり（請求項５に対応）、前記係止部に、前記貫通孔に対する蓋部材を係止自在な被係止部を設けてあってもよい（請求項６に対応）。
また、前記被係止部に係止自在で、且つ、前記被係止部に係止させた状態で前記周囲空間を覆う環状の蓋部材を設けてあることが好ましく（請求項７に対応）、前記蓋部材が、径方向に分割して形成してあると共に、分割蓋部材どうしを合体させた状態で連結固定自在な蓋連結部を設けてあることが好ましい（請求項８に対応）。
さらに、前記蓋部材を構成するに、蓋本体の外周縁部に、径方向に沿って内方側に突出させて係止凸部を設け、前記被係止部を構成するに、前記係止凸部を、前記蓋部材の離脱方向側で受け止める係止面部を設けてあることが好ましい（請求項９に対応）。
【０００９】
【作用】
本発明の「貫通孔の充填材支持具」の特徴構成によれば、その第１の特徴構成においては、構造体に設けられた貫通孔への充填材の充填方向前方側で、前記貫通孔内に充填される前記充填材を受止め自在な環状の支持部と、前記貫通孔の開口部の周囲に係止自在な環状の係止部とを、各別に径方向に分割して形成し、前記貫通孔の深さ方向に対応する分割支持部と分割係止部どうしを各別に連結する連結部をそれぞれ設け、前記分割係止部夫々の周方向一端側どうしを径方向に揺動自在に連結するヒンジ部を設けるとともに、前記分割係止部夫々の周方向他端側に互いに係合自在な係合部を設けてあるから、たとえ前記貫通孔に長尺体を挿通させてある状態であっても、前記分割係止部どうしを開方向に揺動させておき、開いた部分から前記長尺体を径方向に沿って受け入れ、後は、前記ヒンジ部を中心にして前記分割係止部どうしを閉方向に揺動させるだけで簡単に長尺体に外嵌させることができる。そして、そのまま、前記係止部を貫通孔の開口部周囲に係止させることで、貫通孔に設置することができる。従って、従来のように、長尺体の端部から挿通させる必要がなくなり、設置作業をスピィーディーに実施できるようになる。また、支持部及び係止部はそれぞれ径方向に沿って分割構成してあるものの、各分割係止部と分割支持部とは連結部によってつながっていると共に、各分割係止部どうしは前記ヒンジ部を介してつなげてあるから係止部・連結部・支持部は一体的であり、部品の一部を紛失することもなく、且つ、部品点数の増加防止を図れることによって、保管性や取扱性を向上させることが可能となる。さらに、前記両分割係止部を互いに係合部において係合できるので、前記係止部は一体化でき、環状に形成したと同様に貫通部材の係止姿勢の安定化を図ることができ、例えば、取付固定後の長尺体に押し込み方向の外力が作用しても、その力を、環状の係止部で、一丸となって応力負担することができ、係止部の変形を抑制して安定的な長尺体保持を叶えることができると同時に、蓋部材を取りつけやすくなり、且つ、その蓋部材を外れ難くすることができる。
【００１０】
また、第２の特徴構成においては、上記第１の特徴構成において、一方の前記分割係止部の周方向他端に曲折するフックを設けて一方の前記係合部とするとともに、前記他方の分割係止部の周方向他端側の周部に前記フックと係合可能な切欠きを設けて他方の前記係合部としてあるので、簡単に前記両分割係止部を係合させることができる。
さらに、第３の特徴構成においては、上記何れかの特徴構成において、両分割係止部夫々の周方向他端部に切欠きを設け、前記両分割係止部夫々の係合部に径方向に相異なる方向に段差を設けて、嵌め合い可能に形成してあるので、前記両分割係止部の係合が確実になり、外れ難く、例えば、耐火貫通部に使用されるような熱膨張性の充填材を充填した場合においても充分にその充填材の膨張に伴う外力に耐え、前記支持部による充填材の保持をより確実にする。
【００１１】
尚、前記ヒンジ部が、鳩目であれば、鳩目の穴に釘やビス等の固定具を挿通させて構造体に係止部を固定することができ、別の固定用穴を設けなくても安定的に取付固定できる（請求項４に対応）。
また、前記支持部を、着脱自在に形成してあれば、長尺体を挿通させる支持部の挿通孔部分の寸法設定を異ならせて形成した複数種の支持部を設けておき、挿通させる長尺体の外径寸法に対応する支持部を選択して使い分けることができ、前記係止部及び連結部はそのまま使用しながら、外径寸法の異なる長尺体に対応することが可能となる（請求項５に対応）。
そして、前記係止部に、前記貫通孔に対する蓋部材を係止自在な被係止部を設けてあれば、前記被係止部に蓋部材を係止させて、長尺体の挿通部分の周囲空間を蓋部材で覆うことが可能となる（請求項６に対応）。
また、前記被係止部に係止自在で、且つ、前記被係止部に係止させた状態で前記周囲空間を覆う環状の蓋部材を設けてあれば、前記周囲空間に充填された充填材が露出するのを防止することができ、充填材が光や熱の影響を直接的に受けて劣化するのを防止することが可能となる。そして、例えば、耐火貫通部に使用されるような熱膨張性の充填材を充填した場合においても、充填空間の良好な密閉性を確保して、充填材の熱膨張力を有効に作用させ、貫通孔閉塞効果を維持することが可能となる（請求項７に対応）。
前記蓋部材が、径方向に分割して形成してあると共に、分割蓋部材どうしを合体させた状態で連結固定自在な蓋連結部を設けてあれば、貫通孔に長尺体を挿通させてある状態においても、長尺体の両側方から分割蓋部材を合わせるだけで手間をかけずにスピーディーに蓋部材を設置することができ、しかも、蓋連結部によって両分割蓋部材どうしを連結固定することが可能となり、確実な蓋部材の固定が可能となる（請求項８に対応）。
また、前記蓋部材を構成するに、蓋本体の外周縁部に、径方向に沿って内方側に突出させて係止凸部を設け、前記被係止部を構成するに、前記係止凸部を、前記蓋部材の離脱方向側で受け止める係止面部を設けてあれば、前記係止部に蓋部材を係止させた状態において、前記係止凸部の離脱方向への移動を係止面部によって受け止めて蓋部材の離脱を阻止することができ、蓋部材を前記貫通孔の軸芯方向に沿って離脱しない状態に確実に取り付けることができ、例えば、充填材として熱膨張性のものを使用して耐火貫通孔を構成する場合に、貫通孔の軸芯方向に沿って作用する充填材の熱膨張力を受けて蓋部材が離脱するのを防止しやすくなる（請求項９に対応）。
【００１２】
【発明の効果】
従って、本発明の「貫通孔の充填材支持具」によれば、貫通孔に長尺体を設置した後からでも手間をかけずに簡単に設置することができるようになって、設置作業時期の融通性が向上すると共に、外力に対する変形が少なくなって、構造体に対する取付安定性が向上する。
また、外径寸法や形状の異なる長尺体への適応性も向上する。
そして、蓋部材を設置してあることによって、特に充填材の熱膨張を長尺体に対して効果的に作用させることができるようになり、耐火貫通孔への適応性が向上する。
【００１３】
【実施例】
以下に本発明の実施例を図面に基づいて説明する。
図２は、スラブ１（構造体の一例）に設けられた配管挿通用の貫通孔２に、空調配管Ｐ（長尺体の一例）を挿通させて、貫通孔２の周壁部２ａと、空調配管Ｐとの隙間に充填材Ｊを充填して、防火貫通部を構成してある状況を示すもので、前記充填材Ｊは、本発明の「貫通孔の充填材支持具」の一例である充填材支持具Ｓによって、前記貫通孔２内に支持されている。
前記空調配管Ｐは、銅管からなる配管本体３ａを発泡樹脂製断熱部材３ｂで被覆して形成してある冷媒管３と、ケーブル４とから構成してある。
また、前記充填材Ｊは、例えば、前記スラブ１で仕切られた上下空間の一方で火災が発生した場合に、前記貫通孔２を通して上下空間の他方側へ類焼するのを防止できる防火貫通部を構成するために、熱膨張性を有するパテＪ１で構成してある。前記パテＪ１によれば、火災による熱によってパテＪ１そのものが膨張し、仮に、空調配管Ｐが燃焼したり収縮しても、その周囲に広がって隙間を埋めつくし、煙や炎が貫通孔２を通過しにくいようにすることが可能である。
前記充填材支持具Ｓは、貫通孔２に挿通された空調配管Ｐの挿通部分の周囲空間Ｖで、パテＪ１を支持自在に形成してあり、詳しい構成は、図１に示すように、貫通孔２へのパテＪ１の充填方向前方側で、パテＪ１を受止め自在な支持部５と、前記貫通孔２の開口部の周囲に係止自在な係止部６と、前記支持部５と係止部６どうしを連結する連結部７とを備えた金属製のフレームＦを設け、前記フレームＦに取付自在で、取り付けた状態で前記周囲空間Ｖを覆う金属製の蓋部材１１を設けて構成してある。
前記支持部５は、環状の板金部材によって形成してあり、径方向に二分割に構成してある。そして、板金部材からなる分割支持部５ａどうしを合わせて環状にした状態で、前記周囲空間Ｖを塞ぐことができるように寸法設定してある。また、両分割支持部５ａどうしの合せ部分は、図に見られるように、嵌め合い構造を設けてあり、径方向に沿って互いを嵌め合うことによって、一体的に連結することが可能となる。
前記係止部６は、環状の板金部材によって形成してあり、径方向に二分割に構成してある。そして、板金部材からなる両分割係止部６ａ，６ｂは、一端部どうしを重ねた状態で鳩目からなるヒンジ部８を介して揺動自在に連結してある。また、図３・４に示すように、一方の分割係止部６ａの他端部には、他方の分割係止部６ｂの他端部に設けた切欠き９ｂに係合するフック９ａが設けられてあり、これらフック９ａと切欠き９ｂとで係合部９を形成している。さらに、このフック９ａを前記他方の分割係止部６ｂの切欠き９ｂに係合させ、両分割係止部６ａ，６ｂの係合部９が重なった状態で厚み方向に貫通する固定用穴９ｃを両分割係止部６ａ，６ｂに各別に設けてあり、両分割係止部６ａ，６ｂを環状姿勢に整えて貫通孔２の開口周囲に係止させた状態で、前記鳩目の穴８ａと固定用穴９ｃとに釘やビスを挿通させてスラブ１に固定できるようにしてある。尚、一方の前記分割係止部６ａに設けられた前記フック９ａの先端は、この係止部６をスラブ１に固定する際に、スラブ１によってその係合を解除する方向に押し戻されることがないように、他方の前記分割係止部６ｂのスラブ１への係止面からスラブ１側に突出しないように形成してある。
また、係止部６の外周縁部には、前記蓋部材１１を係止自在な被係止部１０（後述）を設けてある。
前記連結部７は、対応する前記分割支持部５ａと分割係止部６ａ，６ｂとにわたるように複数設けてあり、それぞれ帯金部材によって形成してある。また、分割支持部５ａ及び分割係止部６ａ，６ｂとの接合は、帯金部材の両端部を各別にスポット溶接やカシメ等の接合方法を用いて行ってある。
前記蓋部材１１は、図に示すように、底無しの「おわん」をふせたような形に形成してあり、前記フレームＦに係合させた状態で、スラブ１と、貫通孔２に挿通させた空調配管Ｐの束との隙間を塞ぐことができるように寸法設定して形成してある。また、径方向に二分割に形成してあり、夫々の分割蓋部材１１ａには、分割蓋部材１１ａどうしを合体させた状態で連結固定自在な蓋連結部１２を設けてある。前記蓋連結部１２は、一方の分割蓋部材１１ａから他方の分割蓋部材１１ａ裏面側に延出する裏当て板部１２ａと、前記裏当て板部１２ａに形成した雌ネジ部１２ｂと、前記両分割蓋部材１１ａを合体させた状態での前記裏当て板部１２ａに重なる他方の分割蓋部材部分に形成されたネジ穴部１２ｃとによって構成してあり、前記ネジ穴部１２ｃを通して雌ネジ部１２ｂにボルトを螺合させることによって、両分割蓋部材１１ａどうしを連結固定することができる。
一方、蓋本体の外周縁部には、径方向に沿って内方側に突出させて係止凸部１３を設けてあり、この係止凸部１３を、前記フレームＦの被係止部１０に係止させることによって蓋部材１１をフレームＦに取り付けることができる。
前記フレームＦの被係止部１０と蓋部材１１の係止凸部１３との係止について、さらに詳しく説明する。
前記被係止部１０は、前述のように、係止部６の外周縁部に形成してあって（図２参照）、前記係止凸部１３を、前記蓋部材１１の離脱方向側で受け止める係止面部１０ａによって構成してある。この係止面部１０ａは、係止部６の裏面部分にあたり、前記係止凸部１３が係止部６の裏面側に位置するようにして両分割蓋部材１１ａを合体させることにより、貫通孔の軸芯方向に沿った離脱方向への力が蓋部材１１に作用しても、係止凸部１３が係止面部１０ａに押し当たることで移動を阻止され、離脱防止を図ることができる。因に、前記係止部６は、その裏面部に接合してある連結部７の厚さ寸法だけ、スラブ面より浮いた状態に位置するので、この隙間１４に前記係止凸部１３が径方向に沿って進入することが可能となる。この際、仮に前記固定用穴９ｃに釘あるいはビスが挿通されていなくても前記係合部９によって前記係止部６が環状に維持されているので、この係止部６に前記蓋部材１１が確実に取りつけられる。
また、前記隙間１４への係止凸部１３の進入をスムースに行えるように、前記係止部６の外周縁部を上側に傾斜させて形成し、この傾斜部の下面部分が係止誘導部１０ｂとなるように構成してある。この係止誘導部１０ｂを設けることによって、前記隙間１４の開口寸法が広くなって、前記係止凸部１３を係入させ易くなると共に、係入操作を深めるに伴って係止凸部１３は前記係止誘導部１０ｂに誘導されて前記隙間１４に進入することができ、蓋部材１１をフレームＦに確実に取り付けることができる。
本実施例の充填材支持具Ｓを用いた防火貫通部の形成方法は、貫通孔２にフレームＦを係止状態に設置し（場合によっては、ヒンジ部８の穴８ａ及び固定用穴９ｃに釘を挿通させて、スラブ１にフレームＦを固定することも可能）、空調配管Ｐを挿通させ（空調配管Ｐを先に挿通させておくことも可能）、支持部５上の周囲空間Ｖへ上からパテＪ１を充填する。そして、両分割蓋部材１１ａを取り付ける前に、それぞれの内側空間に各別に所定量のパテＪ１を充填付着させ、その状態で空量配管Ｐ及び係止部６を挟むように両分割蓋部材１１ａどうしを合体させることによって、被係止部１０に蓋部材１１が係止して、前記周囲空間Ｖを確実に密閉することができる。
前記充填材支持具Ｓによれば、貫通孔２への取り付けが簡単且つ確実に実施することができ、貫通孔２の密閉効果も高く、しかも、設置した空調配管Ｐに作用する押込力に対して安定的に対抗することが可能となる。
【００１４】
〔別実施例〕
以下に別実施例を説明する。
〈１〉  前記フレームＦは、先の実施例で説明した支持部５と係止部６と連結部７とを一体的に形成してあるものに限定されるものではなく、例えば、前記支持部５を着脱自在に形成してあってもよく、更には、図６〜７に示すように、上述の支持部５に対して着脱自在な第二の支持部１５を設けるものであってもよい。この第二の支持部１５は、板金製で環状に形成してあり、径方向に二分割構成してあり、前記係止部６と同様に、分割した両第二の支持部１５の周方向一端側を鳩目からなるヒンジ部１６によって枢支連結してあり、両第二の支持部１５の周方向他端側には、相互に連結可能なように穴を設けてある。そして、外周部の所定位置には、前記連結部７が係入する切欠部１７を設けてある。
この様に、支持部５を着脱自在に形成したり、前記第二の支持部１５を設けることによって、挿通させる空調配管Ｐの外径寸法や形状に合わせた挿通孔を形成した支持部を使い分けることが可能となり、挿通させる長尺体の寸法適応性を向上させることが可能となる。
なお、係止部、支持部は、径方向に二分割に形成してあるものに限らず、例えば、三分割以上の複数分割構成であってもよい。
〈２〉  前記係合部９は、フック９ａを切欠き９ｂに単に係止させるだけでなく、図５・６に示すように、前記両分割係止部６ａ，６ｂ夫々の周方向他端部に切欠きを設け、前記両分割係止部６ａ，６ｂ夫々の係合部９に径方向に相異なる方向に段差を設けて、嵌め合い可能に形成してあればさらによく、嵌め合うことによって、フック９ａを切欠き９ｂに係合させた後にこれが外れるのを防止でき、フレームＦの取り付けが一層容易になる。この段差を設けるのに、図示のように前記のフック９ａ、切欠き９ｂの設けられていない側のみを曲折させるだけでなく、前記のフック９ａ、切欠き９ｂの設けられてある側も曲折させて段差を設けてもよい。こうすれば、係止部６全体を構造体１に接当させることができる。なお、上記実施例では、前記一方の分割係止部６ａに設けたフック９ａの先端を、前記他方の分割係止部６ｂの構造体１への係止面より構造体側に突出しないようにしたが、必ずしも突出させないようにする必要はない。
〈３〉  前記充填材Ｊは、先の実施例で説明したパテＪ１に限定されるものではなく、例えば、パテＪ１をシート状に形成したシートパテを併用してもよく、シートパテによれば、パテＪ１を充填空間の奥に詰める手間を省くことが可能となる。
〈４〉  また、前記構造体は、先の実施例で説明したスラブに限るものではなく、例えば、壁体・天井・梁・柱等であってもよく、これらを総称して構造体という。
〈５〉  前記長尺体は、先の実施例で説明した空調配管Ｐに限定されるものではなく、例えば、ケーブルや鋼管や樹脂管等であってもよく、それらを総称して長尺体という。
〈６〉  本発明の貫通孔の充填材支持具は、先の実施例で説明したように、貫通孔２の一方側の開口部に設置する他、他方側の開口部に設置したり、両方側の開口部に設置することも可能である。
【００１５】
尚、特許請求の範囲の項に図面との対照を便利にするために符号を記すが、該記入により本発明は添付図面の構成に限定されるものではない。
【図面の簡単な説明】
【図１】実施例の充填材支持具を示す分解斜視説明図
【図２】実施例の充填材支持具の設置状況を示す断面図
【図３】実施例の係合部を示す要部斜視図
【図４】実施例の係合部を示す要部断面図
【図５】別実施例の係合部を示す要部斜視図
【図６】別実施例の充填材支持具を示す分解斜視図
【図７】別実施例の充填材支持具を示す断面図
【図８】従来例の充填材支持具を示す斜視図
【符号の説明】
１      構造体
２      貫通孔
５      支持部
５ａ    分割支持部
６      係止部
６ａ    分割係止部
６ｂ    分割係止部
７      連結部
８      ヒンジ部
９      係合部
９ａ    フック
９ｂ    切欠き
１０    被係止部
１０ａ  係止面部
１１      蓋部材
１１ａ  分割蓋部材
１２    蓋連結部
１３    係止凸部
Ｊ      充填材
Ｐ      長尺体
Ｖ      周囲空間
【図１】
0003575858.tif 000002
【図２】
0003575858.tif 000003
【図３】
0003575858.tif 000004
【図４】
0003575858.tif 000005
【図５】
0003575858.tif 000006
【図６】
0003575858.tif 000007
【図７】
0003575858.tif 000008
【図８】
0003575858.tif 000009